(57)【要約】【課題】例えば顧客が宝石付き指輪を手にとった状態又は試着した状態において、その宝石を美しい状態で見せることによって、顧客の購買意欲を高める。【解決手段】宝石Ｗ１が配置される宝石配置空間Ｘに対向配置され、宝石配置空間Ｘに配置された宝石Ｗ１を拡大して鑑賞者に見えるようにする拡大レンズと、拡大レンズ２の周囲に互いに離間して配置され、宝石配置空間Ｘに可視光領域の連続スペクトルを有する白色光を照射する複数の点光源３と、を備える。【選択図】図１
2011161206.tif 000002
【特許請求の範囲】
【請求項１】
宝石が配置される宝石配置空間に対向配置され、当該宝石配置空間に配置された宝石を拡大して鑑賞者に見えるようにする拡大レンズと、
前記拡大レンズの周囲に互いに離間して配置され、前記宝石配置空間に可視光領域の連続スペクトルを有する白色光を前記宝石配置空間に照射する複数の点光源と、を備える宝石鑑賞装置。
【請求項２】
前記複数の点光源が、前記宝石に対して等方的に配置されている請求項１記載の宝石鑑賞装置。
【請求項３】
前記点光源から射出される白色光の相関色温度が、４５００〜６８００Ｋである請求項１又は２記載の宝石鑑賞装置。
【請求項４】
前記点光源から射出される白色光が、平均演色評価数９０以上である請求項１、２又は３記載の宝石鑑賞装置。
【請求項５】
前記宝石配置空間内における宝石の有無又は当該宝石を把持又は試着した手の有無を検知するフォトセンサと、
前記フォトセンサの検出信号から前記宝石配置空間内に宝石又は当該宝石を把持又は試着した手があると判断した場合に、前記複数の点光源を点灯させる制御部とを備える請求項１、２、３又は４記載の宝石鑑賞装置。
【請求項６】
前記フォトセンサのセンサ検出エリアの境界が、前記宝石配置空間内に存在する前記拡大レンズの焦点近傍に設けられており、外部から宝石又は当該宝石を把持又は試着した手を移動させて、それら宝石又は手が前記拡大レンズの焦点近傍に位置した時に前記フォトセンサが検知するように構成されている請求項５記載の宝石観賞装置。
【請求項７】
前記フォトセンサが前記宝石配置空間の後方側に設けられるとともに、そのセンサ検出エリアが前記拡大レンズの焦点近傍を含むように前方側に向かって拡がっている請求項６記載の宝石観賞装置。
【請求項８】
前記複数の点光源それぞれを、又は前記複数の点光源を組み分けして形成される複数の点光源群を、順繰り点灯させる制御部を備える請求項１、２、３、４、５、６又は７記載の宝石鑑賞装置。
【請求項９】
宝石に相関色温度が４５００〜６８００Ｋであり、且つ平均演色評価数９０以上の白色光を照射し、その照射された宝石を拡大レンズを介して鑑賞する宝石鑑賞方法。
【請求項１０】
宝石が配置される宝石配置空間に対向配置され、当該宝石配置空間に配置された宝石を拡大して鑑賞者に見えるようにする拡大レンズと、
前記拡大レンズの周囲に互いに離間して配置され、前記宝石配置空間に可視光領域の連続スペクトルを有する白色光を前記宝石配置空間に照射する光源と、
前記宝石配置空間内における宝石の有無又は当該宝石を把持又は試着した手の有無を検知するフォトセンサと、
前記フォトセンサの検出信号から前記宝石配置空間内に宝石又は当該宝石を把持又は試着した手があると判断した場合に、前記光源を点灯させる制御部とを備え、
前記フォトセンサのセンサ検出エリアの境界が、前記宝石配置空間内に存在する前記拡大レンズの焦点近傍に設けられており、外部から宝石又は当該宝石を把持又は試着した手を移動させて、それら宝石又は手が前記拡大レンズの焦点近傍に位置した時に前記フォトセンサが検知するように構成されている宝石観賞装置。
【発明の詳細な説明】
【技術分野】
【０００１】
本発明は、ダイヤモンドなどの宝石を拡大して鑑賞者に見せるための宝石鑑賞装置及び宝石鑑賞方法に関するものである。
【背景技術】
【０００２】
従来の宝石店の店頭においては、ダイヤモンドリング等の商品を顧客に勧める際に、顧客が商品を手に取った状態又は顧客が試着した状態を、そのまま又は鏡に映して見せることがある。ここで例えばダイヤモンド等の宝石は、各カット面の表面反射と内部に入った光の全反射により生じる白色光の輝き（ブリリアンシーまたはブライトネスと呼ばれる）、宝石、照明、観察する顧客の視点のいずれかが移動した際に生じるファセット（切り子面）の煌き（シンチレーション）、宝石内部に入った光が内部で反射する際に分光して生じる虹色の輝き（ディスパーション）によって美しさが表現される。
【０００３】
しかしながら、宝石店の店頭の照明環境は演色性が必ずしも高くなく、自然光（例えば太陽光）が当たった際に生じる宝石の美しさ（特にディスパーション）を鑑賞する事ができないという問題がある。
【０００４】
また、ハロゲン照明のように、演色性は高いが光色が色温度の低い白色光である照明が設置されている場合には、宝石、指輪及びそれを試着した手を美しく見せる効果が小さいという問題がある。
【０００５】
さらに、試着した状態をそのまま又は鏡に映して見ることから、宝石が小さく見えたり、視界にそのほか種々のものが映り込んでしまい、宝石本来の美しさを見ることが難しいという問題がある。
【０００６】
なお、特許文献１には、ダイヤモンドの輝きに基づく特徴的な紋様を観察することができる宝石の観察用器具が記載されている。しかしながら、この観察用器具は、試着した状態において宝石を照明することは想定されていない。
【先行技術文献】
【特許文献】
【０００７】
【特許文献１】特開平９−７２８４９号公報
【発明の概要】
【発明が解決しようとする課題】
【０００８】
そこで本発明は、上記問題点を一挙に解決するためになされたものであり、例えば顧客が宝石付き指輪を手にとった状態又は試着した状態において、その宝石を美しい状態で見せることによって、顧客の購買意欲を高め、顧客と販売店の双方に満足を与えることをその主たる所期課題とするものである。
【課題を解決するための手段】
【０００９】
すなわち本発明に係る宝石鑑賞装置は、宝石が配置される宝石配置空間に対向配置され、当該宝石配置空間に配置された宝石を拡大して鑑賞者に見えるようにする拡大レンズと、前記拡大レンズの周囲に互いに離間して配置され、前記宝石配置空間に可視光領域の連続スペクトルを有する白色光を前記宝石配置空間に照射する複数の点光源と、を備えることを特徴とする。
【００１０】
このようなものであれば、宝石配置空間に対向配置された拡大レンズの周囲に複数の点光源を互いに離間して配置していることにより、宝石の各カット面におけるシンチレーション及びブリリアンシーを強くすることができるとともに、そのシンチレーション及びブリリアンシーを拡大して鑑賞することができる。また、点光源が可視光領域の連続スペクトルを有する白色光を照射するものであり、宝石の分光により生じるディスパーションを強くすることができるとともに、そのディスパーションを拡大して鑑賞することができる。これにより、ダイヤモンド等の宝石を美しい状態で顧客に見せることができ、顧客の購買意欲を高めることができる。また、点光源として可視光領域の連続スペクトルを有する白色光を照射しているので、宝石付き指輪を試着した状態で鑑賞する場合に、金属類からなる指輪が変色して見えることを防止するだけでなく、試着された手も美しく見せることができる。
【００１１】
ダイヤモンド等の宝石は中心軸に対して対称に形成されることが多く、この種の宝石を全体的に美しく見せるためには、前記複数の点光源が、前記宝石に対して等方的に配置されていることが望ましい。例えば、前記拡大レンズが、平面視において概略円形状をなすものであれば、前記点光源が、周方向に等間隔に設けられていることが考えられる。
【００１２】
可視光領域の連続スペクトルを有する光を照射するものとしてハロゲンランプが考えられるが、射出される光は、色温度が低い黄色がかった光であり、宝石、指輪又は試着された手が黄色味を帯びてしまう。このように照射光の光によって宝石、指輪又は試着された手が変色しないようにするためには、前記点光源から射出される白色光の相関色温度が、４５００〜６８００Ｋであることが望ましい。
【００１３】
太陽光等の自然光に近づけて、日常生活における宝石の見え方を見せるためには、前記点光源から射出される白色光が、平均演色評価数９０以上であることが望ましい。
【００１４】
特に宝石鑑賞装置が電池駆動方式の場合には、常時点灯させていると、鑑賞時において宝石を点灯することができない、又は長時間に及び宝石鑑賞においては途中で電池が切れてしまうということが考えられる。このとき、前記宝石配置空間内における宝石の有無又は当該宝石を把持又は試着した手の有無を検知するフォトセンサと、前記フォトセンサの検出信号から前記宝石配置空間内に宝石又は当該宝石を把持又は試着した手があると判断した場合に、前記複数の点光源を点灯させる制御部とを備えることが望ましい。これならば、宝石鑑賞装置が電池駆動方式の場合には、省エネルギを実現することができ、電池交換又は充電せずに駆動時間を可及的に延ばすことができる。また、ＡＣアダプター方式のものであっても省エネルギを実現できる。
【００１５】
またこのとき前記フォトセンサのセンサ検出エリアの境界が、前記宝石配置空間内に存在する前記拡大レンズの焦点近傍に設けられており、外部から宝石（宝石を収容するケースを含む。）又は当該宝石を把持又は試着した手を移動させて、それら宝石又は手が前記拡大レンズの焦点近傍に位置した時に前記フォトセンサが検知するように構成されていることが望ましい。このようなものであれば、鑑賞者が拡大レンズの焦点近傍に宝石又は手を入れることで初めて光源が点灯することになり、光源が点灯した瞬間の宝石の輝きを見せることができ、点灯する前と後での見え方のギャップを大きくすることができる。これにより、鑑賞者に対して点灯した瞬間の宝石の美しさを強く印象付けることができる。
【００１６】
フォトセンサの具体的な配置の態様としては、前記フォトセンサが前記宝石配置空間の後方側に設けられるとともに、そのセンサ検出エリアが前記拡大レンズの焦点近傍を含むように前方側に向かって拡がっていることが考えられる。これならば、拡大レンズの下方に宝石又は手を入れるに際して左右両側又は前方のいずれから入れても上記のとおり光源が点灯した瞬間の宝石の輝きを見せることができる。
【００１７】
特に煌き（シンチレーション）を強くしてダイヤモンド等の宝石を美しい状態で顧客に見せるためには、前記複数の点光源それぞれを、又は前記複数の点光源を組み分けして形成される複数の点光源群を、順繰り点灯させる制御部を備えることが望ましい。
【００１８】
また、本発明に係る宝石鑑賞方法は、宝石に相関色温度が４５００〜６８００Ｋであり、且つ平均演色評価数９０以上の白色光を照射し、その照射された宝石を拡大レンズを介して鑑賞することを特徴とする。
【００１９】
さらに、本発明に係る宝石観賞装置は、宝石が配置される宝石配置空間に対向配置され、当該宝石配置空間に配置された宝石を拡大して鑑賞者に見えるようにする拡大レンズと、前記拡大レンズの周囲に互いに離間して配置され、前記宝石配置空間に可視光領域の連続スペクトルを有する白色光を前記宝石配置空間に照射する光源と、前記宝石配置空間内における宝石の有無又は当該宝石を把持又は試着した手の有無を検知するフォトセンサと、前記フォトセンサの検出信号から前記宝石配置空間内に宝石又は当該宝石を把持又は試着した手があると判断した場合に前記光源を点灯させる制御部とを備え、前記フォトセンサのセンサ検出エリアの境界が、前記宝石配置空間内に存在する前記拡大レンズの焦点近傍に設けられており、外部から宝石又は当該宝石を把持又は試着した手を移動させて、それら宝石又は手が前記拡大レンズの焦点近傍に位置した時に前記フォトセンサが検知するように構成されていることを特徴とする。
【発明の効果】
【００２０】
このように構成した本発明によれば、顧客に宝石を美しい状態で見せることによって、顧客の購買意欲を高めることができる。
【図面の簡単な説明】
【００２１】
【図１】本発明の一実施形態に係る宝石鑑賞装置の構成を示す模式図である。
【図２】拡大レンズ及び点光源との位置関係を示す平面図である。
【図３】点光源及び集光レンズの構成を主として示す拡大断面図である。
【図４】変形実施形態に係る宝石鑑賞装置の構成を示す模式図である。
【図５】変形実施形態に係る宝石鑑賞装置の構成を示す模式図である。
【図６】フォトセンサの平面視におけるセンサ検知エリアを示す模式図である。
【図７】変形実施形態に係る宝石観賞装置の点灯態様を示す模式図である。
【図８】フォトセンサの配置態様の変形例を示す模式図である。
【図９】変形実施形態に係る点光源の点灯方式を示す模式図である。
【図１０】変形実施形態に係る点光源群の点灯方式を示す模式図である。
【発明を実施するための形態】
【００２２】
以下に本発明に係る宝石鑑賞装置１００の一実施形態について図面を参照して説明する。
【００２３】
＜装置構成＞
本実施形態に係る宝石鑑賞装置１００は、宝石を展示又は鑑賞するのに用いられ、例えば宝石店の店頭に設置され、顧客が例えばダイヤモンドリング等の宝石Ｗ１付き指輪（商品）Ｗを購入する際に、顧客が試着した商品Ｗを美しい状態となるようにし、その状態の商品Ｗを拡大して見せることにより、商品価値を高め、顧客の購買意欲を高めるためのものである。
【００２４】
具体的にこのものは、図１に示すように、宝石Ｗ１が配置される宝石配置空間Ｘに対向して上方に設けられ、宝石Ｗ１を拡大して見せるための拡大レンズ２と、当該拡大レンズ２の周囲に互いに離間して設けられ、可視光領域の連続スペクトルを有する白色光を上方から宝石配置空間Ｘに照射する複数の点光源３と、拡大レンズ２及び点光源３を一体的に保持する保持枠４と、当該保持枠４を宝石配置空間Ｘに対して移動可能に支持する支持部材５と、支持部材５の下端に設けられ、上部に宝石配置空間Ｘが形成される基台６と、を備えている。
【００２５】
拡大レンズ２は、宝石配置空間Ｘに配置された宝石Ｗ１を例えば１．２〜５倍に拡大させて鑑賞者に見せるものであり、両凸レンズ又は片凸レンズを用いることができる。なお、フレネルレンズを用いることもできる。
【００２６】
本実施形態では、倍率２倍の片凸レンズを用いている。これにより、倍率的に例えば手を拡大して見せる際に丁度良く、宝石Ｗ１も十分拡大されて鑑賞できる。また、低倍率であるので焦点深度が大きく、観察できる視点の自由度が大きいために鑑賞が容易で疲れにくい。また、片凸レンズであるので、室内の他の照明の映り込みの影響を抑制し、可及的に宝石Ｗ１を美しく見せることができる。
【００２７】
また、本実施形態の拡大レンズ２は、ガラス、アクリル樹脂又はポリカーボネート樹脂等の透明材料製で、直径１０〜３００ｍｍの平面視において概略円形状をなすレンズである。
【００２８】
点光源３は、可視光領域の連続スペクトルを有する白色光を射出する例えば表面実装型のＬＥＤである。複数のＬＥＤ３は、図２に示すように、平面視において概略円環状をなす基板７の表面に周方向に等間隔に設けられている。このように周方向に等間隔に設けられることによって、宝石配置空間Ｘに宝石Ｗ１を配置した状態において、複数の点光源３が、宝石Ｗ１に対して等方的に配置されていることになる。これによって宝石Ｗ１に各点光源３からの光を当てることができ、宝石Ｗ１のシンチレーション及びブリリアンシーを強くすることができる。
【００２９】
本実施形態のＬＥＤ３は、射出される白色光の相関色温度が４５００〜６８００Ｋであり、平均演色評価数（Ｒａ）９０以上である。相関色温度が４５００〜６８００Ｋであることから、青味を帯び過ぎた白色光又は赤味を帯び過ぎた白色光を宝石Ｗ１に照射することが無く、宝石Ｗ１、指輪Ｗ又は試着された手を変色しないようにしている。つまり、照射される光の相関色温度が高すぎたり、低すぎたりすると、ブリリアンシーやシンチレーションの効果として見られる光の色は照明の光色と同じであるので、青みがかった白色または赤みがかった白色となり好ましくなく、宝石の内部で反射・分光されてディスパーションの効果をもたらす光も、青っぽい光や赤っぽい光のどちらかに偏ったものとなるため好ましくない。同様に、照射される光の相関色温度が高すぎたり、低すぎたりすると、指輪や手も青味または赤味を帯びた色に見え、例えばシルバーのリングがゴールドに近いような印象を与えたり、手が青白く見えたりしてしまう。
【００３０】
平均演色評価数を９０以上としていることにより、宝石Ｗ１に照射される白色光をより自然光に近づけることができ、宝石Ｗ１のディスパーションの効果を増大することができる。すなわち、平均演色評価数が高い照明は、連続的なスペクトルを有しているので、宝石の内部で反射されて分光された光が可視光の全域に渡る様々な色の単色光に分かれて見えるので好ましい。平均演色評価数が低い光源でも、ディスパーションを見ることは可能であるが、可視光の中で強度が低い波長域が存在するため、その波長域の単色光を得ることは原理的に不可能であり、ディスパーションの効果は小さくなる。なお、平均演色評価数が高くても点光源でない照明においては、異なる光源から射出されて内部で反射して分光された光が、鑑賞者の眼で再び混色して観察されるため、ディスパーションの効果を観察することが困難となる。このことは、屋外の昼光の下で宝石を鑑賞するとディスパーションが見えにくいことから明らかである。
【００３１】
また、ＬＥＤ３の光射出側前方には、ＬＥＤ３から射出された光の配光分布を制御するための集光レンズ８が設けられている。この集光レンズ８は、各ＬＥＤ３毎に対応して設けられており、平面視において概略円環状となるように一体成形されたものである。
【００３２】
保持枠４は、拡大レンズ２、ＬＥＤ３が搭載された基板７、及び集光レンズ８を一体的に保持するものである。具体的に保持枠４は、平面視において概略円環形状をなすものであり、その中央開口部に拡大レンズ２が固定される。また、保持枠４の下面に基板７及び集光レンズ８がこの順に例えばねじ固定される。
【００３３】
ここで、基板７及び集光レンズ８が固定された状態においては、図３に示すように、ＬＥＤ３から射出される光の光軸Ｐ１と、集光レンズ８の光軸Ｐ２とがずれるように構成されている。具体的には、ＬＥＤ３から射出される光の光軸Ｐ１よりも集光レンズ８の光軸Ｐ２が内側に位置するように構成されている。これにより、ＬＥＤ３からの光の光軸Ｐ１が内向きに傾斜するようにＬＥＤ３を配置することなく、ＬＥＤ３を平面上に配置させた状態で、ＬＥＤ３からの光の光軸Ｐ１を内向きに傾斜させることができる。この構成によって、複数のＬＥＤ３からの光は、拡大レンズ２の中心軸に向かって集光させることになり、宝石配置空間Ｘ内の拡大レンズ２の結像位置近傍に集光され、結像位置近傍に配置された宝石Ｗ１を効率良く照明することができる。
【００３４】
支持部材５は、保持枠４を宝石配置空間Ｘ上に位置するように支持するフレキシブルアームである。この支持部材５は、保持枠４の後端部（観察者側と相対する側）に接続されており、当該保持枠４を少なくとも上下方向（図３中矢印Ａ）前後方向（図３中矢印Ｂ）に位置調節可能にするだけでなく、前後方向の角度（図３中矢印Ｃ）及び左右方向の角度（図３中矢印Ｄ）を調節可能にする。このように支持部材５が保持枠４の後端部に接続されることによって、宝石配置空間Ｘの左右及び前側を開放することができ、指輪Ｗを試着した手を宝石配置空間Ｘに持って行きやすくしている。
【００３５】
基台６には、外部に設けられた電源（不図示）からの電力をＬＥＤ３に供給するための電源ケーブル（不図示）が接続されている。また、基台６の側面には電源スイッチ６１とＬＥＤ３の光量を調節する光量調整つまみ６２が設けられている。電源スイッチ６１又は光量調整つまみ６２が操作されることによって、基台６内部に設けられた制御回路（不図示）がＬＥＤ３を制御する。
【００３６】
＜本実施形態の効果＞
このように構成した本実施形態に係る宝石鑑賞装置１００によれば、宝石配置空間Ｘに対向配置された拡大レンズ２の周囲に複数の点光源３を互いに離間して配置していることにより、宝石Ｗ１の各カット面におけるシンチレーション及びブリリアンシーを強くすることができるとともに、そのシンチレーション及びブリリアンシーを拡大して鑑賞することができる。また、点光源３が可視光領域の連続スペクトルを有する白色光を照射するものであり、宝石Ｗ１の分光により生じるディスパーションを強くすることができるとともに、そのディスパーションを拡大して鑑賞することができる。これにより、ダイヤモンド等の宝石Ｗ１を美しい状態で顧客に見せることができ、顧客の購買意欲を高めることができる。また、点光源３として可視光領域の連続スペクトルを有する白色光を照射しているので、宝石Ｗ１付き指輪Ｗを試着した状態で鑑賞する場合に、指輪Ｗが変色して見えることを防止するだけでなく、試着された手も美しく見せることができる。
【００３７】
＜その他の変形実施形態＞
なお、本発明は前記実施形態に限られるものではない。
【００３８】
前記実施形態の点光源３の相関色温度を変更可能に構成しても良い。これならば、例えば光色が異なる自然光又は人工光等の種々のシーンにおける宝石Ｗ１の見え方を鑑賞者（顧客）に見せることができる。例えば、色温度の異なる点光源３を組み合わせて、制御回路により点灯する点光源３を制御することによって、宝石Ｗ１に照射される光の色温度を変更できるようにしても良い。
【００３９】
また、拡大レンズ２の周囲に配置された複数の点光源３を複数の群に分割して、各群毎に独立して点灯可能に構成し、点灯する点光源３の群を切り替えることによって、宝石Ｗ１に入射する光線の角度が変化し、鑑賞者にキラキラと変化して輝く様子（シンチレーション）を能動的に見せることができる。このとき、制御回路によって各群が例えば順繰りに点灯させることが考えられる。なお、群に分割しないで、個々のＬＥＤを独立して点灯可能にしても良い。
【００４０】
さらに、前記実施形態では、保持枠４に点光源３を構成するＬＥＤを直接設けているが、その他、保持枠４以外の場所（例えば基台内部）に光源を設け、当該光源からの光を伝送する光ファイバを用いて、その光ファイバの光射出端部を保持枠４に固定することによって、点光源３を構成するようにしても良い。
【００４１】
その上、前記実施形態の支持部材はフレキシブルアームであったが、フレキシブルアームではなく、保持枠を定位置に固定支持するものであっても良い。また、１または複数箇所の回転軸を有する、部分的に調整可能な構造であっても良い。
【００４２】
集光レンズは、一体成形でなくても良く、例えば複数の部分に分割されていても良く、またＬＥＤ３と同数に分割されていて支持体によって固定されるように構成されていても良い。レンズの形状は、通常は概略円形状のレンズが用いられるが、視野の確保や軽量化の観点から、矩形のレンズであっても良い。
【００４３】
また、前記実施形態の宝石鑑賞装置が、図４に示すように、宝石配置空間Ｘ内における宝石Ｗ１の有無又は当該指輪Ｗを試着した手の有無を検知するフォトセンサ９と、フォトセンサ９の検出信号から宝石配置空間Ｘ内に宝石Ｗ１又は指輪Ｗを試着した手があると判断した場合に、複数の点光源３を点灯させる制御部（不図示）とを備えることが望ましい。また、制御部は、フォトセンサ９により手があると判断した後において当該フォトセンサ９により手が未検知となった場合、当該未検知の後所定時間後に点光源３を消灯させる。ここでフォトセンサ９としては、分離型フォトインタラプタや反射型フォトインタラプタ（フォトリフレクタ）等を用いることができる。
【００４４】
図４に分離型フォトインタラプタ（発光素子９１、受光素子９２）の態様を示す。また、宝石鑑賞に悪影響を及ぼさないために、用いるフォトセンサは、不可視光（例えば、赤外光又は紫外光等）を用いたものであることが望ましい。さらに、フォトセンサ９を設ける位置としては、分離型フォトインタラプタを用いた場合には、発光素子９１を保持枠側に設け、受光素子９２を宝石配置空間Ｘを挟んだ基台６側に設けることが考えられる。なお、逆に設けても良い。反射型フォトインタラプタを用いた場合には、宝石配置空間Ｘに対向する位置に設ければ良い。これならば、宝石鑑賞装置１００が電池駆動方式の場合には、省エネルギを実現することができ、電池交換又は充電せずに駆動時間を可及的に延ばすことができる。また、ＡＣアダプター方式のものであっても省エネルギを実現できる。
【００４５】
図５に反射型フォトインタラプタ９の態様を示す。このとき反射型フォトインタラプタ９は、宝石配置空間Ｘにおいて拡大レンズ２の結像位置（焦点）近傍に宝石又は宝石を把持又は試着した手があることを検知するものである。つまり、反射型フォトインタラプタ９は、宝石等を試着した手が拡大レンズ２で見たときにピンボケしない位置に、当該手があることを検知する。具体的に反射型フォトインタラプタ９は、宝石配置空間Ｘを略水平方向に沿って前方（鑑賞者側）を向くように支持部材５に設けられている。このように反射型フォトインタラプタ９を設けることによって、宝石配置空間Ｘにおいて拡大レンズ２の結像位置近傍と反射型フォトインタラプタ９のセンサ検知エリアとが重なる。より詳細に言えば、図５に示すように、反射型フォトインタラプタ９の高さ位置は、そのセンサ検知エリアが拡大レンズ２の結像位置近傍を含むように設定するとともに、図６に示すように、宝石配置空間Ｘの後方側に設けられた反射型フォトインタラプタ９のセンサ検知エリアが、拡大レンズ２の焦点近傍を含むように前方側に向かって拡がっている。また、反射型フォトインタラプタ９の平面方向（水平方向）のセンサ検知エリアに関して言うと、その境界が、拡大レンズ２の焦点近傍に位置するように構成されている。そして、図７に示すように、外部から宝石又は当該宝石を把持又は試着した手を移動させて、それら宝石又は手が拡大レンズの焦点近傍に位置した時に反射型フォトインタラプタ９が検知するようにしている。これにより、鑑賞者が拡大レンズ２の焦点近傍に宝石Ｗ１又は手を入れることで初めて光源３が点灯することになり、光源３が点灯した瞬間の宝石Ｗ１の輝きを見せることができ、点灯する前と後での見え方のギャップを大きくすることができる。これにより、鑑賞者に対して点灯した瞬間の宝石Ｗ１の美しさを強く印象付けることができる。また、手が移動している際に光源３が点灯することになるので、宝石Ｗ１の輝きに加えて宝石Ｗ１の煌きを一層強調させることができる。
なお、分離型フォトインタラプタを複数用いて、図８に示すように、各分離型フォトインタラプタの光の通過領域により拡大レンズ２の焦点近傍を囲むようにしても良い。
【００４６】
上記のようにフォトセンサ９を用いて手を感知し自動的にＬＥＤを点灯・消灯するモード（センサモード）は、電源スイッチ６１を操作することにより点灯・消灯する通常モードと切り換え可能に構成されている。この切り替えは、図示しない切り替えスイッチや電源スイッチ６１を操作することにより行われる。
【００４７】
さらに、図９に示すように、制御部（不図示）が、複数の点光源それぞれを順繰りに点灯させることが考えられる。図９においては、１つのＬＥＤのみを点灯させる場合を示しているが、その他、対向する一対のＬＥＤを順繰りに点灯させる等、複数のＬＥＤを同時に点灯させるようにしても良い。また、順繰りに点灯させる態様としては、例えば時計（又は反時計）回りに点灯させること、予め定めた順番で点灯させること、ランダムに点灯させることが考えられる。また、図１０に示すように、制御部が、複数の点光源を組み分けして形成される複数の点光源群（図１０ではＡ群〜Ｅ群）毎に点灯させるものであり、このとき、それら複数の点光源群を順繰りに点灯させることが考えられる。なお、図１０においては、各群に含まれるＬＥＤの個数を同数としているが、各群に含まれるＬＥＤの個数が異なるように組み分けしても良い。これならば、宝石配置空間Ｘ内で宝石や観察する顧客の視点を移動させることなく、煌き（シンチレーション）を強調してダイヤモンド等の宝石を美しい状態で顧客に見せることができる。
【００４８】
その上、シンチレーションを強調してダイヤモンド等の宝石を美しい状態で顧客に見せるためには、上記のＬＥＤの点灯方式の他、宝石配置空間内に宝石を保持するとともに、当該宝石を宝石配置空間内で移動させる保持移動機構を設けるようにしても良い。
【００４９】
その他、本発明は前記実施形態に限られず、その趣旨を逸脱しない範囲で種々の変形が可能であるのは言うまでもない。
【符号の説明】
【００５０】
１００・・・宝石鑑賞装置
Ｗ１  ・・・宝石（ダイヤモンド）
Ｘ    ・・・宝石配置空間
２    ・・・拡大レンズ
３    ・・・点光源
【図１】
2011161206.tif 000003
【図２】
2011161206.tif 000004
【図３】
2011161206.tif 000005
【図４】
2011161206.tif 000006
【図５】
2011161206.tif 000007
【図６】
2011161206.tif 000008
【図７】
2011161206.tif 000009
【図８】
2011161206.tif 000010
【図９】
2011161206.tif 000011
【図１０】
2011161206.tif 000012